(57)【特許請求の範囲】
【請求項１】
板状電池を挟持する一対の顎の各々に、板状電池本体に当接する押圧板と、該電池から延びる電極タブに当接する正負一対の接触子をそれぞれ設け、少なくとも一方の顎の押圧板に、これを相手の押圧板に向けて付勢するスプリングを設け、また、一方の顎の接触子に、これを相手の接触子に向けて付勢するスプリングを設け、該押圧板に電池と密着するように温度センサを取り付けた電池ホルダ。
【請求項２】
該接触子の各々が四角形の接触面を有し、正負一対の接触子は、それら接触面の一辺が隣接する格好で左右に並んでいる請求項１に記載の電池ホルダ。
【請求項３】
該スプリングを有しない側の正負一対の接触子の間に絶縁仕切板を立ち上げ、電池の電極タブはこの絶縁仕切板を跨ぐ格好で挟持される請求項１または２に記載の電池ホルダ。
【請求項４】
一方の顎の該接触子を電流端子、他方の顎の該接触子を電圧端子とした請求項１に記載の電池ホルダ。
【請求項５】
一方の顎にスプリングで上に付勢される可動板を設けると共に、この可動板を押し下げるための手段を設け、当該顎に設けるべき該押圧板と該接触子をこの可動板に取り付けた請求項１に記載の電池ホルダ。
【発明の詳細な説明】
【０００１】
【発明の属する技術分野】
この発明は、板状電池のための電池ホルダに関し、特に試験用に好適のものである。
【０００２】
【従来の技術】
新種の電池に板状電池（ラミネート電池）がある。この電池は本体が平たくできており、一辺から２本の薄板状の電極タブが突出している（図１参照）。本体部の一辺長さは、小さいもので１０ｍｍ（厚さ１ｍｍ）、大きいものになると１００ｍｍ（厚さ１０ｍｍ）位のものもある。
【０００３】
このような板状電池について充放電等の性能試験を行う場合、従来は、電極タブをワニ口クリップで挟持して試験装置に接続していた。この方法は、電池が大きくても小さくてもテストができるが、ワニ口で電極タブが傷ついたり変形してしまうという問題があった。また、電池の温度を測定するための温度センサを電池に貼り付ける必要があり、手間がかかった。
【０００４】
【発明が解決しようとする課題】
この発明は、板状電池をサイズに拘わらず受け入れることのできる専用の電池ホルダを提供する。
【０００５】
【課題を解決するための手段】
板状電池を挟持する一対の顎の各々に、板状電池本体に当接する押圧板と、該電池から延びる電極タブに当接する正負一対の接触子をそれぞれ設ける。押圧板の一方には電池と密着するように温度センサを取り付ける。少なくとも一方の押圧板に、これを相手の押圧板に向けて付勢するスプリングを設け、また、一方の顎の接触子に、これを相手の接触子に向けて付勢するスプリングを設ける（請求項１）。
【０００６】
この電池ホルダは、板状電池を一対の顎で挟持するので、面積の小さな板状電池から大きな板状電池まで受け入れることができる。また、一方の接触子を相手に向けてスプリングで付勢したので、電池の電極タブをしっかりと挟持することができる。さらに、少なくとも一方の押圧板を相手の押圧板に向けてスプリングで付勢したので、電池本体が薄くとも厚くとも、電池本体を２枚の押圧板でしっかりと挟持し、温度センサで電池の温度を正確に計測することができる効果がある。
【０００７】
各接触子の接触面は四角形に形成し、正負一対の接触子は、それら接触面の一辺が隣接する格好で左右に並んでいることが好ましい（請求項２）。こうすれば、電池の電極タブの間隔が大きい場合も小さい場合も、４角形の接触子でこれをしっかりと挟持することができる、。
【０００８】
なお、好ましくは、スプリングを有しない側の正負一対の接触子の間に絶縁仕切板を立ち上げ、電池の電極タブはこの仕切りを跨ぐ格好で挟持されるようにする（請求項３）。こうすることで、電極タブの正負両極を対応する固定接触子の正負極に正しく振り分けることができ、電池の短絡事故を有効に防ぐことができる。
【０００９】
この電池ホルダは、電極タブを両顎の接触子の間に挟むようになっているので、一方の顎の接触子を電流端子、他方の顎の接触子を電圧端子として用いることが好ましく、大きい電流が流れている場合でも、電圧降下の影響を受けずに電池電圧を正確に計測することができる効果がある（請求項４）。
【００１０】
押圧板と接触子は顎に直接取り付けてもよいが、スプリングで付勢される可動板を顎に設け、この可動板に押圧板と接触子を取り付けてもよく、この場合、可動板を押し下げるための手段を設ける（請求項５）。このように構成すれば、電池をセットするときに、まず顎を閉じ、電池が所定の位置にあることを確認してから可動板を押し下げることで、電池を確実に挟持することができる。
【００１１】
【発明の実施の形態】
図１に示すように、上下の顎１ａ、１ｂを蝶番２を用いて開閉自在に結合する。顎を閉じた状態（図３）に保つために、上顎１ａの先にフック３を設け、このフックが係合するフック受け４を下顎１ｂに設ける。フック３は、これを垂直状態に付勢するスプリング（図示しない。）を内蔵しており、図３に鎖線で示すように、スプリングの力に抗してフックを傾けると、フック受け４から外れる。フック３を外したとき、顎が大きく開くように、両顎の間にばね５を設ける。
【００１２】
下顎１ｂはベークライト製の板であって、前部が一段低くなっており、ここにベークライト製の押圧板６ｂを取り付ける。押圧板６ｂの下面には複数のピン７ｂが突出しており、これらのピンは下顎に穿設された穴の中に摺動自在に支持されている。ピン７ｂに沿って圧縮コイルスプリング９ｂを設け、これで押圧板６ｂを上に向けて付勢する。押圧板６ｂにはノッチ１０を形成し、ノッチを塞ぐ格好でノッチの中に温度センサ１１（例えばサーミスタ）を取り付ける。
【００１３】
下顎１ｂの奥の一段高い部分には、正負の接触子１２ｂを左右に並べて設ける。各接触子はいずれも四角形（一辺２０ｍｍ）の平たい金属板である。正負両接触子の間に、ベークライト製の絶縁仕切板１３を立ち上げる。
【００１４】
上顎１ａは金属の枠板であり、その上に４本のピン１５が立っており、これらピンに沿って摺動できるようにベークライト製の可動板１６が支持されている。ピン１５に沿って圧縮コイルスプリング１７が設けられており、これらのスプリングで可動板１６は上に向けて付勢される。スプリング１７の力に抗して可動板を押し下げるための手段として、カム２０とそれから延びるレバー１８を設ける。カム２０は、上顎１ａにピン１９で回転自在に取り付けられる。図３に示すように引き起こしてあるレバー１８を、図４に示すように前に倒すと、カム２０の働きで可動板１６は押し下げられる。
【００１５】
可動板１６には、顎を閉じたときに下顎側の接触子１２ｂに当接する位置に、正負の接触子１２ａを並べて設ける。これらの接触子は、本体が、下顎側接触子１２ｂと同じ大きさの四角形の平たい金属板であり、表面には縦横に刻み目を設けられている。接触子本体から軸２１が直角に延びており、その軸が可動板１６に摺動自在に支持されている。軸２１には圧縮スプリング２２が嵌め込んであり、これで接触子１２ａを下方に付勢している。
【００１６】
可動板１６の下側にはピン７ａを介して押圧板６ａが取り付けられている。この押圧板は、下顎に設けられた押圧板６ｂと構造が同じであり、コイルスプリング９ａで下向きに付勢されている。
【００１７】
この電池ホルダに板状電池をセットするには、まず、図１に示すように上顎を開いた状態で、板状電池２５を下顎の押圧板６ｂの上に載せ、さらに奥の方にスライドさせ、同図に鎖線で示すように、正負の電極タブ２６が絶縁仕切板１３を跨いで対応する接触子１２ｂの上に来るようにする。両方の電極タブが片方の接触子の上に来ると、短絡事故を招くが、正負の電極タブが絶縁仕切板１３を跨ぐようにしたので、短絡事故のおそれはない。絶縁仕切板１３を挟んでその両側に大きな４角形の正負接触子１２が配置されているので、電極タブの間隔が広くとも狭くとも、これを確実に挟持することができる。
【００１８】
次いで、上顎１ａを下顎１ｂに向けて回動し、フック３をフック受け４に係合させて顎を閉じる（図３）。この状態で、可動板にあいている窓２７から下を覗くようにして、電池（特に電極タブ）が所定の位置にあることを確認し、レバー１８を水平に倒す（図４）。こうすると可動板１６と共に接触子１２ａが下降し、下顎の接触子１２ｂと協働して電極タブ２６を挟持する。同時に可動板と共に押圧板６ａが下降し、下顎の押圧板６ｂと協働して電池本体を挟持し、電池本体は温度センサ１１と密着する。
【００１９】
このようにして板状電池をホルダにセットし、電池の充放電等の性能を計測する。なお、上顎の接触子１２ａは電池２５に電流を供給または取り出すための端子として利用する。下顎の接触子１２ｂは、電池電圧を検出するための端子として利用する。このように、電流電圧端子を分けてあるので、電圧降下の影響なく、電池電圧を正確に測ることができる。
【００２０】
上記実施形態では、上下の押圧板にスプリング９ａ、９ｂを設けたが、スプリングは片方の押圧板だけに設けてもよい。上顎の可動板１６は必ずしも必要なく、押圧板６ａおよび接触子１２ａを直接上顎１ａに取り付けるようにしてもよい。
【図面の簡単な説明】
【図１】電池ホルダを開いた状態の斜視図である。
【図２】電池ホルダの平面図である。
【図３】電池ホルダを閉じる途中の縦断面図である。
【図４】電池ホルダを完全に閉じた状態の縦断面図である。
【符号の説明】
１  顎
６  押圧板
９  スプリング
１１  温度センサ
１２  接触子
１３  絶縁仕切板
１６  可動板
２２  スプリング
２５  板状電池
２６  電極タブ
【図１】
0003594567.tif 000002
【図２】
0003594567.tif 000003
【図３】
0003594567.tif 000004
【図４】
0003594567.tif 000005